(57)【要約】【課題】  無線端末間の上り電波干渉を抑制し、ハンドオフを高速とする。【解決手段】  下り回線において、無線端末ＡＴは、下り受信電力の最も大きい基地局がＢＴＳ１からＢＴＳ２に変わると、周期的に送信しているＲ−ＣＱＩＣＨに対し、指定する通信先基地局のＩＤをＢＴＳ２に変更して、送信電力を一定量増加させて、ハンドオフ要求する（４０３〜４０６）。ＢＴＳ１は、ＦＬＡＢおよびデータの送信を行わない。ＢＴＳ２は、Ｒ−ＣＱＩＣＨ（４０６）を受信し、復調に成功することで、通信先基地局として指定されたことを認識し、ハンドオフ処理を実行・完了後に、ＦＬＡＢを送信する（４０７）。ＡＴは指定した通信先基地局ＢＴＳ２からＦＬＡＢ（４０７）を受信すると、次のＲ−ＣＱＩＣＨ送信周期で、通信先基地局をＢＴＳ２に指定したＲ−ＣＱＩＣＨを、送信電力を戻して（４１４）送信する（４０８）。【選択図】  図４
2009094612.tif 000002
【特許請求の範囲】
【請求項１】
下り回線において、無線端末が、下り回線の受信品質を定期的に測定し、下り回線において指定する基地局の通信先基地局識別情報を、第１の特定チャネルを使用し、送信電力をパイロットチャネル送信電力及び予め定められた第１の電力の和の電力に設定して、基地局に周期的に通知し、新たに指定された基地局が第１の特定チャネルを受信すると下り回線のハンドオフを行うようにした無線システムにおけるハンドオフ制御方法において、
下り回線において、無線端末は、複数の基地局から受信した信号の下り受信電力を測定した結果、下り受信電力の最も大きい基地局が第１の基地局から第２の基地局に変わると、周期的に送信している第１の特定チャネルに対し、通信先基地局識別情報を前記第２の基地局に変更して、送信電力を前記パイロットチャネル送信電力及び前記第１の電力及び予め定められた第２の電力の和の電力に設定することでハンドオフを要求するための第１の特定チャネルを送信し、
前記第１の基地局は、第１の特定チャネルを受信し、通信先基地局識別情報が一致しないことを判断し、フォワードリンクのブロック又は第１の特定チャネルの確認応答の送信を行わず、
前記第２の基地局は、第１の特定チャネルを受信し、通信先基地局識別情報が自局の通信先基地局識別情報であることで、自局が通信先基地局として指定されたことを認識し、ハンドオフ処理を実行し、フォワードリンクのブロック又は第１の特定チャネルの確認応答を送信し、
無線端末は、指定した前記第２の基地局からフォワードリンクのブロック又は第１の特定チャネルの確認応答を受信すると、ハンドオフ要求を含む第１の特定チャネルの送信が成功したと判断し、次の第１の特定チャネル送信周期で通信先基地局識別情報を前記第２の基地局に指定した第１の特定チャネルを、送信電力を前記パイロットチャネル送信電力及び前記第１の電力の和の電力に戻して送信する
前記無線システムにおけるハンドオフ制御方法。
【請求項２】
上り回線において、無線端末が、上り回線で送信したいデータ量と、無線端末が上り回線において指定する基地局の通信先基地局識別情報を、第２の特定チャネルを使用し、送信電力をパイロットチャネル送信電力及び予め定められた第１の電力の和の電力に設定して、基地局に周期的に通知し、新たに指定された基地局が第２の特定チャネルを受信すると下り回線のハンドオフを行うようにした無線システムにおけるハンドオフ制御方法において、
上り回線において、無線端末は、複数の基地局から受信した信号の上り受信電力を測定した結果、上り受信電力の最も大きい基地局が第１の基地局から第２の基地局に変わると、周期的に送信している第２の特定チャネルに対し、通信先基地局識別情報を前記第２の基地局に変更して、送信電力を前記パイロットチャネル送信電力及び前記第１の電力及び予め定められた第２の電力の和の電力に設定することで、基地局に通信先基地局を通知してハンドオフを要求するための第２の特定チャネルを送信し、
前記第１の基地局は、第２の特定チャネルを受信し、通信先基地局識別情報が一致しないことを判断し、リバースリンクのブロック又は第２の特定チャネルの確認応答の送信を行わず、
前記第２の基地局は、第２の特定チャネルを受信し、通信先基地局識別情報が自局の通信先基地局識別情報であることで、自局が通信先基地局として指定されたことを認識し、ハンドオフ処理を実行し、リバースリンクのブロック又は第２の特定チャネルの確認応答を送信し、
無線端末は、指定した前記第２の基地局からリバースリンクのブロック又は第２の特定チャネルの確認応答を受信すると、ハンドオフ要求を含む第２の特定チャネルの送信が成功したと判断し、次の第２の特定チャネル送信周期で通信先基地局識別情報を前記第２の基地局に指定した第２の特定チャネルを、送信電力を前記パイロットチャネル送信電力及び前記第１の電力の和の電力に戻して送信する
前記無線システムにおけるハンドオフ制御方法。
【請求項３】
請求項１に記載のハンドオフ制御方法と、
請求項２に記載のハンドオフ制御方法と、
を含み、下り回線により指定された通信先基地局と、上り回線により指定された通信先基地局とが異なる場合、予め定められた下り又は上り回線のいずれかの指定された通信先基地局にハンドオフすることを特徴とする無線システムにおけるハンドオフ制御方法。
【請求項４】
下り回線制御において、無線端末は、送信した第１の特定チャネルに対して指定した通信先基地局からフォワードリンクのブロックの応答がない場合、第１の特定チャネルの再送を行うようにした請求項１に記載の無線システムにおけるハンドオフ制御方法。
【請求項５】
上り回線制御において、無線端末は、送信した第１の特定チャネルに対して指定した通信先基地局からフォワードリンクのブロックの応答がない場合、第１の特定チャネルの再送を行うようにした請求項２に記載の無線システムにおけるハンドオフ制御方法。
【請求項６】
下り回線制御において、無線端末は、第１の特定チャネルの送信周期を、前回の送信周期より短縮して設定することで、第１の特定チャネルの確認応答又はフォワードリンクのブロック応答がくるまで第１の特定チャネルの再送を行うようにした請求項１に記載の無線システムにおけるハンドオフ制御方法。
【請求項７】
上り回線制御において、無線端末は、第２の特定チャネルの送信周期を、前回の送信周期より短縮して設定することで、第２の特定チャネルの確認応答又はフォワードリンクのブロック応答がくるまで第２の特定チャネルの再送を行うようにした請求項２に記載の無線システムにおけるハンドオフ制御方法。
【請求項８】
下り回線制御において、無線端末は、第１の特定チャネルの送信電力を、ハンドオフ要求からの送信回数または時間の経過に応じて増加させて、第１の特定チャネルの確認応答またはフォワードリンクのブロックの応答がくるまで第１の特定チャネルの再送を行うようにした請求項１に記載の無線システムにおけるハンドオフ制御方法。
【請求項９】
上り回線制御において、無線端末は、第２の特定チャネルの送信電力を、ハンドオフ要求からの送信回数または時間の経過に応じて増加させて、第２の特定チャネルの確認応答またはフォワードリンクのブロックの応答がくるまで第２の特定チャネルの再送を行うようにした請求項２に記載の無線システムにおけるハンドオフ制御方法。
【請求項１０】
下り回線制御において、無線端末は、第１の特定チャネルの送信電力を、ハンドオフ要求からの送信回数または時間の経過に応じて増加させ、且つ、第１の特定チャネルの送信周期を、前回の送信周期より短縮して設定することにより、第１の特定チャネルの確認応答またはフォワードリンクのブロックの応答がくるまで第１の特定チャネルの再送を行うようにした請求項１に記載の無線システムにおけるハンドオフ制御方法。
【請求項１１】
上り回線制御において、無線端末は、第２の特定チャネルの送信電力を、ハンドオフ要求からの送信回数または時間の経過に応じて増加させ、且つ、第２の特定チャネルの送信周期を、前回の送信周期より短縮して設定することにより、第２の特定チャネルの確認応答またはフォワードリンクのブロックの応答がくるまで第２の特定チャネルの再送を行うようにした請求項２に記載の無線システムにおけるハンドオフ制御方法。
【発明の詳細な説明】
【技術分野】
【０００１】
本発明は、無線通信システムにおけるハンドオフ制御方法に係り、特に、無線端末間の上り電波干渉を制御し、ハンドオフを高速化するための無線通信システムにおけるハンドオフ制御方法に関する。
【背景技術】
【０００２】
移動無線通信システムにおいて、無線端末の移動に応じて通信先の基地局を切り替える処理、ハンドオフの実現が必須である。
通信先の選択を無線端末が行っている１ｘＥＶ−ＤＯシステムにおいて、無線端末は基地局からの受信電力レベルを元に最も無線品質の良い基地局を選択し、ＤＲＣ（Ｄａｔａ  Ｒａｔｅ  Ｃｏｎｔｒｏｌ）と呼ばれる専用チャネルを使用して、無線品質情報と選択した基地局情報を送信する。無線端末が選択した基地局を変更することがハンドオフ要求であり、新たな通信先に指定されたハンドオフ先の基地局がこのハンドオフ要求を受信するとハンドオフ処理が実行される。そのため、ハンドオフを高速化させるためには、ハンドオフ先基地局がハンドオフ要求を受信するまでの時間を短縮することが重要となる。
ここで、下り回線の品質が最良のセクタと、上り回線の品質が最良のセクタが異なる場合、下り回線の品質が最良のセクタがハンドオフ先基地局に選択されるが、上りの信号受信に時間がかかり、その結果、ハンドオフに時間がかかる可能性がある。ハンドオフ先基地局がハンドオフ要求を受信するまでの時間を短縮する技術として、非特許文献１では、ＤＲＣチャネルで基地局情報を変更した場合、予め定められた一定の時間ＤＲＣチャネルの送信電力を一定量増幅し、受信特性を向上させる機構を導入している。
【０００３】
【非特許文献１】３ｇｐｐ２、  Ｃ．Ｓ００２４Ｂ  ｖｅｒ  １．０、  ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ（該当ページ：１０−１０４〜１０−１２５、１０−１３７〜１０−１６５）
【発明の開示】
【発明が解決しようとする課題】
【０００４】
従来技術では、ハンドオフ高速化を実現するために、ハンドオフ情報を持つ専用チャネルの送信電力を増幅させる手段を用いている。しかしこの電力増幅は、他の無線端末にとっては干渉電力増加の要因となるものである。
従来技術での送信電力増幅量は一定であるため、ハンドオフ高速化のために実環境のばらつきに関わらず、専用チャネル送信電力増幅量をある程度大きく設定しなければならず、その分他の無線端末に与える上り回線の干渉が大きくなるという課題がある。
また、従来技術での送信電力増幅期間は一定であるため、増幅量設定値が大きすぎる場合は、ハンドオフが完了しても専用チャネルの送信電力が上昇したままのため他の無線端末に与える上り回線の干渉が不要に継続してしまう、という課題がある。
【課題を解決するための手段】
【０００５】
他の無線端末に干渉を与える期間の超過を解決するために、ハンドオフが完了したら、ハンドオフ指示信号を持つ専用チャネルの送信電力増幅を止める。具体的には、ハンドオフ先から下りトラヒックチャネル上でパケットを一つ以上受信したら、または、ハンドオフ要求に対するＡｃｋを受信したら、ハンドオフ指示信号を持つ専用チャネルの送信電力の増幅を止める。
他の無線端末に干渉を与える量を低減するために、ハンドオフ指示信号を持つ専用チャネルの送信電力の増幅量を、ハンドオフ開始から完了するまでの間、時間と共に増加させる。
【０００６】
本発明の第１の解決手段によると、
下り回線において、無線端末が、下り回線の受信品質を定期的に測定し、下り回線において指定する基地局の通信先基地局識別情報を、第１の特定チャネルを使用し、送信電力をパイロットチャネル送信電力及び予め定められた第１の電力の和の電力に設定して、基地局に周期的に通知し、新たに指定された基地局が第１の特定チャネルを受信すると下り回線のハンドオフを行うようにした無線システムにおけるハンドオフ制御方法において、
下り回線において、無線端末は、複数の基地局から受信した信号の下り受信電力を測定した結果、下り受信電力の最も大きい基地局が第１の基地局から第２の基地局に変わると、周期的に送信している第１の特定チャネルに対し、通信先基地局識別情報を前記第２の基地局に変更して、送信電力を前記パイロットチャネル送信電力及び前記第１の電力及び予め定められた第２の電力の和の電力に設定することでハンドオフを要求するための第１の特定チャネルを送信し、
前記第１の基地局は、第１の特定チャネルを受信し、通信先基地局識別情報が一致しないことを判断し、フォワードリンクのブロック又は第１の特定チャネルの確認応答の送信を行わず、
前記第２の基地局は、第１の特定チャネルを受信し、通信先基地局識別情報が自局の通信先基地局識別情報であることで、自局が通信先基地局として指定されたことを認識し、ハンドオフ処理を実行し、フォワードリンクのブロック又は第１の特定チャネルの確認応答を送信し、
無線端末は、指定した前記第２の基地局からフォワードリンクのブロック又は第１の特定チャネルの確認応答を受信すると、ハンドオフ要求を含む第１の特定チャネルの送信が成功したと判断し、次の第１の特定チャネル送信周期で通信先基地局識別情報を前記第２の基地局に指定した第１の特定チャネルを、送信電力を前記パイロットチャネル送信電力及び前記第１の電力の和の電力に戻して送信する
前記無線システムにおけるハンドオフ制御方法が提供される。
【０００７】
本発明の第２の解決手段によると、
上り回線において、無線端末が、上り回線で送信したいデータ量と、無線端末が上り回線において指定する基地局の通信先基地局識別情報を、第２の特定チャネルを使用し、送信電力をパイロットチャネル送信電力及び予め定められた第１の電力の和の電力に設定して、基地局に周期的に通知し、新たに指定された基地局が第２の特定チャネルを受信すると下り回線のハンドオフを行うようにした無線システムにおけるハンドオフ制御方法において、
上り回線において、無線端末は、複数の基地局から受信した信号の上り受信電力を測定した結果、上り受信電力の最も大きい基地局が第１の基地局から第２の基地局に変わると、周期的に送信している第２の特定チャネルに対し、通信先基地局識別情報を前記第２の基地局に変更して、送信電力を前記パイロットチャネル送信電力及び前記第１の電力及び予め定められた第２の電力の和の電力に設定することで、基地局に通信先基地局を通知してハンドオフを要求するための第１の特定チャネルを送信し、
前記第１の基地局は、第２の特定チャネルを受信し、通信先基地局識別情報が一致しないことを判断し、リバースリンクのブロック又は第２の特定チャネルの確認応答の送信を行わず、
前記第２の基地局は、第２の特定チャネルを受信し、通信先基地局識別情報が自局の通信先基地局識別情報であることで、自局が通信先基地局として指定されたことを認識し、ハンドオフ処理を実行し、リバースリンクのブロック又は第２の特定チャネルの確認応答を送信し、
無線端末は、指定した前記第２の基地局からリバースリンクのブロック又は第２の特定チャネルの確認応答を受信すると、ハンドオフ要求を含む第２の特定チャネルの送信が成功したと判断し、次の第２の特定チャネル送信周期で通信先基地局識別情報を前記第２の基地局に指定した第２の特定チャネルを、送信電力を前記パイロットチャネル送信電力及び前記第１の電力の和の電力に戻して送信する
前記無線システムにおけるハンドオフ制御方法が提供される。
【発明の効果】
【０００８】
本発明によれば、ハンドオフの安定化および高速化と、上り無線回線における干渉の低減を、基地局および無線端末に提供することができる。
【発明を実施するための最良の形態】
【０００９】
１．システム
以下の実施の形態においては、一例として、さらなる高速、広帯域化を実現する次世代のシステムとして３ｇｐｐ２において検討が行われているＵＭＢ（Ｕｌｔｒａ  Ｍｏｂｉｌｅ  Ｂａｓｅｂａｎｄ；  Ｃ．Ｓ００８４）をベースに説明する。本発明は、これに限らず、各種方式に適用可能である。
ＵＭＢは、１ｘＥＶ−ＤＯの次世代システムとして、標準化が行われている。ＵＭＢでは、上り／下り共にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多重アクセス）がベースとなっており、上り７０Ｍｂｐｓ、下り２６０Ｍｂｐｓの通信が可能とされている。本発明の実施の形態を説明する上で必要となるＵＭＢにおける下り／上り回線におけるレート制御方法およびハンドオフ情報を説明する。
下り回線においては、無線端末が下り回線の受信品質を定期的に測定し、下り回線において通信したい基地局を選択する。この基地局情報をＲ−ＣＱＩＣＨ（Ｒｅｖｅｒｓｅ  Ｃｈａｎｎｅｌ  Ｑｕａｌｉｔｙ  Ｉｎｄｉｃａｔｏｒ  Ｃｈａｎｎｅｌ）の変復調暗号鍵の一つに使用することで基地局に通知する。Ｒ−ＣＱＩＣＨにおいて指定される基地局に変化が生じた場合、新たに指定された基地局がこのＲ−ＣＱＩＣＨを受信すると、下り回線のハンドオフが行われる。ハンドオフが速く行われるように、無線端末では指定する基地局を変更したとき、Ｒ−ＣＱＩＣＨの送信電力を一定期間増加させている。
【００１０】
上り回線においては、無線端末が上り回線で送信したいデータ量をＲ−ＲＥＱＣＨ（Ｒｅｖｅｒｓｅ  Ｒｅｑｕｅｓｔ  Ｃｈａｎｎｅｌ）を使用して基地局に通知する。またＲ−ＲＥＱＣＨには、無線端末が上り回線において通信したい基地局を指定する機能がある。各基地局で上り回線の受信品質情報を測定した結果をＦ−ＰＱＩＣＨ（Ｐｉｌｏｔ  Ｑｕａｌｉｔｙ  Ｃｈａｎｎｅｌ）によって無線端末に渡され、その情報を元に無線端末で上り受信品質の良い基地局を通信先基地局として指定する。無線端末は、指定先基地局ＩＤをＲ−ＲＥＱＣＨの変復調暗号鍵の一つに使用することで指定先を基地局に通知する。指定する基地局に変化が生じた場合、新たに指定された基地局がこのＲ−ＲＥＱＣＨを受信することで上り回線のハンドオフが行われる。ハンドオフが速く行われるように、無線端末では指定する基地局を変更したとき、Ｒ−ＲＥＱＣＨの送信電力を一定期間増加させている。
ＵＭＢにおいては、上述したように、専用チャネルによる上り回線と下り回線の高速なハンドオフを実現する手段を提供する一方で、ハンドオフの際の上り電力制御についてリアルタイムに最適となる手段が提供されていない。そのため、ハンドオフの際、ハンドオフ先の基地局で受信できるまでに時間を要する、受信成功しているのに電力が高いままで上り無線回線の干渉となる、などの課題が発生する。
そこで、以下の実施の形態においては、ＵＭＢで検討が進められている技術をベースとした無線通信制御技術について説明する。
【００１１】
２．構成
まず、はじめに、本発明が適用される無線通信システムを含むネットワーク全体の構成を説明する。
図１は、本発明を適用する無線通信システムと、インターネット、有線通信システムを含む通信網全体の構成図である。
図１に示すように、本実施の形態におけるネットワークでは、インターネットに無線通信システムが接続される。このようなネットワークにおいて、例えば、無線通信システムの無線端末ＡＴ１−１０１は、受信エリア１１１内の基地局（ＢＴＳ：Ｂａｓｅ  ｓｔａｔｉｏｎ  Ｔｒａｎｓｃｅｉｖｅｒ  Ｓｕｂｓｙｓｔｅｍ）１２１を介して通信を行い、基地局制御装置（ＢＳＣ：Ｂａｓｅ  Ｓｔａｔｉｏｎ  Ｃｏｎｔｒｏｌｌｅｒ）１３１を通じてインターネット１４１上のインターネット・サービス・プロバイダ（ＩＳＰ：Ｉｎｔｅｒｎｅｔ  Ｓｅｒｖｉｃｅ  Ｐｒｏｖｉｄｅｒ）１５１内のサーバ１６１にアクセスする。
【００１２】
図２は、本発明の実施の形態における無線端末の構成図である。
図２に示すように、無線端末は、アンテナ２０１、ＲＦ部２０２、データチャネル（Ｃｈ）変調部２０３、制御Ｃｈ変調部２０４、制御Ｃｈ復調部２０５、データＣｈ受信部２０６、データバッファ２０７、アプリケーション処理部２０８を備える。アンテナ２０１は、基地局との間で電波を送受信し、高周波信号に変換する。ＲＦ部２０２は、高周波信号の変復調を行い、低周波のベースバンド信号に変換する。データチャネル（Ｃｈ）変調部２０３は、送信データを変調してベースバンド信号に変換する。制御Ｃｈ変調部２０４は、例えば、制御ｃｈ復調部２０５から上り・下りの受信品質情報（下り受信信号の強度、上りの電力の品質情報等）と通信先基地局情報を受け取り、制御Ｃｈの送信電力及び／又は送信周期を計算・設定、および通信先基地局ＩＤを暗号鍵の一部に用いて制御情報を変調しベースバンド信号に変換する。制御Ｃｈ復調部２０５は、例えば、下り受信信号の強度（電力）を測定、および受信信号を復調して上り電力の品質情報を含む制御情報、通信先基地局情報を取り出す。データＣｈ復調部２０６は、受信信号を復調・復号して受信データを取り出す。アプリケーション処理部２０８は、送信データを一時的にバッファするデータバッファ２０７と、アプリケーションを処理する。
ここで、データバッファ２０７に蓄えられているデータ量は制御Ｃｈ変調部２０４に通知され、Ｒ−ＲＥＱＣＨを使用して基地局に通知される。また、制御Ｃｈ復調部２０５は受信した制御情報の中から、各基地局が測定する上り受信電力の強度結果を収集し、上り受信電力が最も大きい基地局を上り回線の通信先として選択し、その基地局情報（ＩＤ含む）を制御Ｃｈ変調部２０４に通知する。通信先の情報は、指定した通信先基地局のＩＤをＲ−ＲＥＱＣＨの変調暗号鍵の一部に使用することで、基地局に通知される。
このＲ−ＲＥＱＣＨの送信電力（ＲＥＱＣＨの送信電力）は制御Ｃｈ変調部２０４にて、（数１）式のように設定される。
【００１３】
ＲＥＱＣＨの送信電力＝
ＰｉｌｏｔＣＨの送信電力＋ＲＥＱＣＨ  ＧａｉｎＢａｓｅ            ・・・（数１）
ここで、
Ｐｉｌｏｔ  ＣＨ：パイロットチャネル
ＲＥＱＣＨ  Ｇａｉｎ  Ｂａｓｅ：ＲＥＱＣＨゲイン（利得）ベース
【００１４】
また、制御Ｃｈ復調部２０５は複数の基地局から受信した下り回線の信号の電力強度を測定し、もっとも受信電力が大きい基地局を下り回線の通信先基地局に選択する。通信先基地局の情報（ＩＤ含む）は制御Ｃｈ変調部２０４に通知され、通信先基地局のＩＤをＲ−ＣＱＩＣＨの変調暗号鍵の一部に使用することで、基地局に通知される。このＲ−ＣＱＩＣＨの送信電力（ＣＱＩＣＨの送信電力）は制御Ｃｈ変調部２０４にて、（数２）式のように設定される。
【００１５】
ＣＱＩＣＨの送信電力＝
ＰｉｌｏｔＣＨの送信電力＋ＣＱＩＣＨ  ＧａｉｎＢａｓｅ            ・・・（数２）
ここで、ＣＱＩＣＨ  Ｇａｉｎ  Ｂａｓｅ：ＣＱＩＣＨゲイン（利得）ベース
【００１６】
図３は、本発明の実施の形態における基地局の構成図である。
図３に示すように、基地局は、アンテナ３０１、ＲＦ部３０２、データＣｈ変調部３０３、制御Ｃｈ変調部３０４、制御Ｃｈ復調部３０５、データＣｈ受信部３０６、データバッファ３０７、回線処理部３０８、スケジューラ３０９、ＰＥＲ計測部３１０を備える。アンテナ３０１は、エリア内の無線端末との間で電波を送受信し、高周波信号に変換する。ＲＦ部３０２は、高周波信号の変復調を行い、低周波のベースバンド信号に変換する。データＣｈ変調部３０３は、送信データを変調してベースバンド信号に変換する。制御Ｃｈ変調部３０４は、無線端末毎の上り受信信号の強度測定結果を含む制御情報を変調してベースバンド信号に変換する。制御Ｃｈ復調部３０５は、無線端末毎の上り受信信号の強度を測定、および受信信号を復調して制御情報を取り出す。データＣｈ受信部３０６は、受信信号を復調・復号して受信データを取り出す。データバッファ３０７は、送信データを一時的にバッファする。回線処理部３０８は、基地局制御装置にデータを送信する。スケジューラ３０９は、受信した制御Ｃｈの情報などから伝送レートを決定する。ＰＥＲ計測部３１０は、データＣｈ復調部におけるデータ復調結果からパケットエラーレートを算出する。ここで、制御Ｃｈ変調部３０４、制御Ｃｈ復調部３０５およびデータバッファ３０７はエリア内の全無線端末に対応する数分だけ用意されており、データＣｈ変調部３０４とデータＣｈ復調部３０６はスケジューラ３０９が割り当てた無線端末数に対応する数だけ用意されている。スケジューラ３０９は、データバッファ３０７から通知された下りバッファ量、制御Ｃｈ復調部３０５で受信した結果得られた上りバッファ量、下り／上り信号品質、およびＰＥＲ計測部３１０から通知されたパケットエラーレート情報を元に、無線端末に割り当てる下り／上りそれぞれの伝送レートと帯域幅を決定する。
【００１７】
３．電力制御
（１）第一の実施の形態
（下り回線）
図４は、本発明の第一の実施の形態におけるＲ−ＣＱＩＣＨの電力制御アルゴリズムを説明する図である。
図５は、本発明の第一の実施の形態におけるＲ−ＣＱＩＣＨの電力制御アルゴリズムに対応するＡＴの動作のフローチャートである。
図６は、本発明の第一の実施の形態におけるＲ−ＣＱＩＣＨの電力制御アルゴリズムに対応する電力変化を説明する図である。
以下、図４・図５・図６を用いて、Ｒ−ＣＱＩＣＨの電力制御アルゴリズムを説明する。この例では、無線端末（ＡＴ）が、基地局（ＢＴＳ１）と通信中、基地局（ＢＴＳ２）にハンドオフする場合を想定する。
下り回線において、無線端末（ＡＴ）はアンテナ２０１、ＲＦ部２０２を通して複数の基地局からのＣｏｎｔｒｏｌＣｈａｎｎｅｌを受信し、データ通信が開始される（５０１）。制御Ｃｈ復調部２０５は、受信電力を測定し、受信電力が最も大きい基地局（ＢＴＳ１）を下り回線の通信先基地局（ＢＴＳ１）として指定する（５０２）。この場合、最後に通信した基地局から通信先基地局の変更がないので（５０３）、制御Ｃｈ変調部２０４は、周期的に送信しているＲ−ＣＱＩＣＨに対し、指定した通信先基地局のＩＤを変調暗号鍵の一部に付与して送信することで基地局に通信先を通知する（４０１、５０４）。このときのＲ−ＣＱＩＣＨの送信電力（ＣＱＩＣＨの送信電力）は、制御Ｃｈ変調部２０４で（数３）式のように設定し（４１１、５０５）、ＲＦ部２０２、アンテナ２０１を通して送信する（５０６）。
【００１８】
ＣＱＩＣＨの送信電力＝
ＰｉｌｏｔＣＨの送信電力＋ＣＱＩＣＨ  ＧａｉｎＢａｓｅ            ・・・（数３）
【００１９】
基地局（ＢＴＳ１）は、アンテナ３０１、ＲＦ部３０２を通してＲ−ＣＱＩＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＦＬＡＢ  （Ｆｏｒｗａｒｄ  Ｌｉｎｋ  Ａｓｓｉｇｎｍｅｎｔ  Ｂｌｏｃｋ）を送信する（４０２）。
無線端末（ＡＴ）は、制御Ｃｈ復調部２０５で測定した結果（５０２）、下り受信電力の最も大きい基地局がＢＴＳ１からＢＴＳ２に変わると通信先基地局の指定をＢＴＳ２に変更する（５０３）。この場合、最後に通信した基地局から通信先基地局の変更があったので（５０３）、周期的に送信しているＲ−ＣＱＩＣＨに対し、制御Ｃｈ変調部２０４は、指定する通信先基地局のＩＤをＢＴＳ２に変更して変調暗号鍵の一部に付与して送信することで、基地局に通信先を通知（ハンドオフ要求）する（４０３、４０４、５０７）。このときのＲ−ＣＱＩＣＨの送信電力（ＣＱＩＣＨの送信電力）は、制御Ｃｈ変調部２０４で（数４）式のように一定量増加させ（４１２、５０８）、ＲＦ部２０２、アンテナ２０１を通して送信する（５０９）。
【００２０】
ＣＱＩＣＨの送信電力＝
ＰｉｌｏｔＣＨの送信電力＋ＣＱＩＣＨ  ＧａｉｎＢａｓｅ＋ＣＱＩＣＨ  ＧａｉｎＢｏｏｓｔ                                                            ・・・（数４）
ここで、ＣＱＩＣＨ  Ｇａｉｎ  Ｂｏｏｓｔ：ＣＱＩＣＨゲイン（利得）ブースト
【００２１】
基地局（ＢＴＳ１）は、アンテナ３０１、ＲＦ部３０２を通してＲ−ＣＱＩＣＨ（４０３）を受信し、制御Ｃｈ復調部３０５で自局のＩＤを暗号鍵に用いて復調を試みるが、暗号鍵が一致せず復調に失敗し、ＦＬＡＢおよびデータの送信を行わない。Ｒ−ＣＱＩＣＨ（４０４）は、基地局（ＢＴＳ２）でも受信可能であるが、送信電力が足りないと、基地局に信号が届かない、または復調に失敗することがある。その場合には基地局（ＢＴＳ２）ではＲ−ＣＱＩＣＨを受け取れないため、ＦＬＡＢおよびデータの送信を行わない。
次に無線端末（ＡＴ）では、送信したＲ−ＣＱＩＣＨに対して指定した通信先基地局からＦＬＡＢの応答がないため（５１０）、Ｒ−ＣＱＩＣＨの再送を行う（４０５、４０６、５０７−５０９）。このときのＲ−ＣＱＩＣＨの送信電力は、引き続き（数４）式のように一定量増加させる（４１３、５０８）。
基地局（ＢＴＳ１）は、アンテナ３０１、ＲＦ部３０２を通してＲ−ＣＱＩＣＨ（４０５）を受信し、制御Ｃｈ復調部３０５で自局のＩＤを暗号鍵に用いて復調を試みるが、暗号鍵が一致せず復調に失敗し、ＦＬＡＢおよびデータの送信を行わない。基地局（ＢＴＳ２）は、アンテナ３０１、ＲＦ部３０２を通してＲ−ＣＱＩＣＨ（４０６）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、ハンドオフ処理を実行・完了後に、スケジューラ３０９から制御Ｃｈ変調部３０４、ＲＦ部３０２、アンテナ３０１を通してＦＬＡＢを送信する（４０７）。
無線端末（ＡＴ）は指定した通信先基地局（ＢＴＳ２）からＦＬＡＢ（４０７）を受信すると（５１０）、制御Ｃｈ変調部２０４は、ハンドオフ要求を含むＲ−ＣＱＩＣＨの送信が成功したと判断し、次のＲ−ＣＱＩＣＨ送信周期で（５０２、５０３）、通信先基地局をＢＴＳ２に指定したＲ−ＣＱＩＣＨ（５０４）の送信電力を（数３）式に戻し（４１４、５０５）、ＲＦ部２０２、アンテナ２０１を通して送信する（４０８、５０６）。
【００２２】
（上り回線）
図７は、本発明の第一の実施の形態におけるＲ−ＲＥＱＣＨの電力制御アルゴリズムを説明する図である。
図８は、本発明の第一の実施の形態におけるＲ−ＲＥＱＣＨの電力制御アルゴリズムに対応するＡＴの動作のフローチャートである。
図９は、本発明の第一の実施の形態におけるＲ−ＲＥＱＣＨの電力制御アルゴリズムに対応する電力変化を説明する図である。
以下、図７・図８・図９を用いて、Ｒ−ＲＥＱＣＨの電力制御アルゴリズムを示す。
上り回線制御において、無線端末（ＡＴ）はアンテナ２０１、ＲＦ部２０２を通して制御Ｃｈ復調部２０５で複数の基地局から上り受信電力の強度情報を受け取りデータ通信が開始され（８０１）、受信電力が最も大きい基地局（ＢＴＳ１）を上り回線の通信先基地局（ＢＴＳ１）として指定する（８０２）。この場合、最後に通信した基地局から通信先基地局の変更がないので（８０３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（７０１、８０４）。このときのＲ−ＲＥＱＣＨの送信電力（ＲＥＱＣＨの送信電力）は、制御Ｃｈ変調部２０４で（数５）式のように設定し（７１１、８０５）、ＲＦ部２０２、アンテナ２０１を通して送信する（８０６）。
【００２３】
ＲＥＱＣＨの送信電力＝
ＰｉｌｏｔＣＨの送信電力＋ＲＥＱＣＨ  ＧａｉｎＢａｓｅ            ・・・（数５）
【００２４】
基地局（ＢＴＳ１）は、アンテナ３０１、ＲＦ部３０２を通してＲ−ＲＥＱＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＲＬＡＢ（Ｒｅｖｅｒｓｅ  Ｌｉｎｋ  Ａｓｓｉｇｎｍｅｎｔ  Ｂｌｏｃｋ）を送信する（７０２）。
無線端末（ＡＴ）は、制御Ｃｈ復調部２０５で受け取った逆方向の情報の結果（８０２）、上り受信電力の最も大きい基地局がＢＴＳ１からＢＴＳ２に変わると、通信先基地局の指定をＢＴＳ２に変更する（８０３）。この場合、最後に通信した基地局から通信先基地局の変更があったので（８０３）、制御Ｃｈ変調部２０４は、周期的に送信しているＲ−ＲＥＱＣＨに対し、指定する通信先基地局のＩＤをＢＴＳ２に変更し、変調暗号鍵の一部に付与して送信することで基地局に通信先を通知（ハンドオフ要求）する（７０３、７０４、８０７）。このときのＲ−ＲＥＱＣＨの送信電力（ＲＥＱＣＨの送信電力）は、制御Ｃｈ変調部２０４で（数６）式のように一定量増加させ（７１２、８０８）、ＲＦ部２０２、アンテナ２０１を通して送信する（８０９）。
【００２５】
ＲＥＱＣＨの送信電力＝
ＰｉｌｏｔＣＨの送信電力＋ＲＥＱＣＨ  ＧａｉｎＢａｓｅ＋ＲＥＱＣＨ  ＧａｉｎＢｏｏｓｔ                                                            ・・・（数６）
ここで、ＲＥＱＣＨ  Ｇａｉｎ  Ｂｏｏｓｔ：ＲＥＱＣＨゲイン（利得）ブースト
【００２６】
基地局（ＢＴＳ１）は、アンテナ３０１、ＲＦ部３０２を通してＲ−ＲＥＱＣＨ（７０３）を受信し、制御Ｃｈ復調部３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（７０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、ＲＬＡＢおよびデータの送信を行わない。
次に無線端末（ＡＴ）では、送信したＲ−ＲＥＱＣＨに対して指定した通信先基地局からＲＬＡＢの応答がないため（８１０）、Ｒ−ＲＥＱＣＨの再送を行う（７０５、７０６、８０７、８０９）。このときのＲ−ＲＥＱＣＨの送信電力は、引き続き（数６）式のように一定量増加させる（７１３、８０８）。
基地局（ＢＴＳ１）は、アンテナ３０１、ＲＦ部３０２を通してＲ−ＲＥＱＣＨ（７０５）を受信し、制御Ｃｈ復調部３０５で自局のＩＤを暗号鍵に用いて復調を試みるが、暗号鍵が一致せず復調に失敗し、ＲＬＡＢおよびデータの送信を行わない。基地局（ＢＴＳ２）は、アンテナ３０１、ＲＦ部３０２を通してＲ−ＣＱＩＣＨ（７０６）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、ハンドオフ処理を実行・完了後に、スケジューラ３０９から制御Ｃｈ変調部３０４、ＲＦ部３０２、アンテナ３０１を通してＲＬＡＢを送信する（７０７）。
無線端末（ＡＴ）は指定した通信先基地局（ＢＴＳ２）からＲＬＡＢ（７０７）を受信すると（８１０）、制御Ｃｈ変調部２０４は、ハンドオフ要求を含むＲ−ＲＥＱＣＨの送信が成功したと判断し、次のＲ−ＲＥＱＣＨ送信周期で（８０２、８０３）、通信先基地局をＢＴＳ２に指定したＲ−ＲＥＱＣＨ（８０４）の送信電力を（数５）式に戻し（７１４、８０５）、ＲＦ部２０２、アンテナ２０１を通して送信する（７０８、８０６）。
なお、無線端末及び基地局は、下り回線により指定された通信先基地局と、上り回線により指定された通信先基地局とが異なる場合、予め定められた下り又は上り回線のいずれかで指定された通信先基地局にハンドオフする。
【００２７】
（２）第二の実施の形態
無線通信システムを含むネットワーク全体の構成、無線端末（ＡＴ）の構成、および基地局の構成については、第一の実施の形態と同様とする。
（下り回線）
図１０は、本発明の第二の実施の形態におけるＲ−ＣＱＩＣＨの電力制御アルゴリズムを説明する図である。
図１１は、本発明の第二の実施の形態におけるＲ−ＣＱＩＣＨの電力制御アルゴリズムに対応するＡＴの動作のフローチャートである。
図１２は、本発明の第二の実施の形態におけるＲ−ＣＱＩＣＨの電力制御アルゴリズムに対応する電力変化を説明する図である。
以下、図１０・図１１・図１２を用いて、Ｒ−ＣＱＩＣＨの電力制御アルゴリズムを示す。
下り回線において、無線端末（ＡＴ）はアンテナ２０１、ＲＦ部２０２を通して複数の基地局からのＣｏｎｔｒｏｌＣｈａｎｎｅｌを受信し、データ通信が開始される（１１０１）。制御Ｃｈ復調部２０５は、受信電力を測定し、受信電力が最も大きい基地局（ＢＴＳ１）を下り回線の通信先基地局（ＢＴＳ１）として指定する（１１０２）。この場合、最後に通信した基地局から通信先基地局の変更がないので（１１０３）、制御Ｃｈ変調部２０４は、周期的に送信しているＲ−ＣＱＩＣＨに対し、指定した通信先基地局のＩＤを変調暗号鍵の一部に付与して送信することで基地局に通信先を通知する（１００１、１１０４）。このときのＲ−ＣＱＩＣＨの送信電力（ＣＱＩＣＨの送信電力）は、制御Ｃｈ変調部２０４で（数７）式のように設定し（１０１１、１１０５）、ＲＦ部２０２、アンテナ２０１を通して送信する（１１０６）。
【００２８】
ＣＱＩＣＨの送信電力＝
ＰｉｌｏｔＣＨの送信電力＋ＣＱＩＣＨ  ＧａｉｎＢａｓｅ            ・・・（数７）
【００２９】
基地局（ＢＴＳ１）は、アンテナ３０１、ＲＦ部３０２を通してＲ−ＣＱＩＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＦＬＡＢを送信する（１００２）。
無線端末（ＡＴ）は、制御Ｃｈ復調部２０５で測定した結果（１１０２）、下り受信電力の最も大きい基地局がＢＴＳ１からＢＴＳ２に変わると、通信先基地局の指定をＢＴＳ２に変更する（１１０３）。この場合、最後に通信した基地局から通信先基地局の変更があったので（１１０３）、周期的に送信しているＲ−ＣＱＩＣＨに対し、制御Ｃｈ変調部２０４は、指定する通信先基地局のＩＤをＢＴＳ２に変更して変調暗号鍵の一部に付与して送信することで、基地局に通信先を通知（ハンドオフ要求）する（１００３、１００４、１１０７）。このときのＲ−ＣＱＩＣＨの送信電力（ＣＱＩＣＨの送信電力）は、制御Ｃｈ変調部２０４で（数８）式のように一定量増加させ（１０１２、１１０８）、ＲＦ部２０２、アンテナ２０１を通して送信する（１１０９）。
【００３０】
ＣＱＩＣＨの送信電力＝
ＰｉｌｏｔＣＨの送信電力＋ＣＱＩＣＨ  ＧａｉｎＢａｓｅ＋ＣＱＩＣＨ  ＧａｉｎＢｏｏｓｔ                                                            ・・・（数８）
【００３１】
基地局（ＢＴＳ１）は、アンテナ３０１、ＲＦ部３０２を通してＲ−ＣＱＩＣＨ（１００３）を受信し、制御Ｃｈ復調部３０５で自局のＩＤを暗号鍵に用いて復調を試みるが、暗号鍵が一致せず復調に失敗し、ＦＬＡＢおよびデータの送信を行わない。Ｒ−ＣＱＩＣＨ（１００４）は、基地局（ＢＴＳ２）でも受信可能であるが、送信電力が足りないと、基地局に信号が届かない、または復調に失敗することがある。その場合には基地局（ＢＴＳ２）ではＲ−ＣＱＩＣＨを受け取れないため、Ｒ−ＣＱＩＣＨのＡＣＫ（アクノレッジ、確認）およびデータの送信を行わない。
次に無線端末（ＡＴ）では、送信したＲ−ＣＱＩＣＨに対して指定した通信先基地局からＲ−ＣＱＩＣＨのＡＣＫの応答がないため（１１１０）、Ｒ−ＣＱＩＣＨの再送を行う（１００５、１００６、１１０７−１１０９）。このときのＲ−ＣＱＩＣＨの送信電力は、引き続き（数８）式のように一定量増加させる（１０１３、１１０８）。
基地局（ＢＴＳ１）は、アンテナ３０１、ＲＦ部３０２を通してＲ−ＣＱＩＣＨ（１００５）を受信し、制御Ｃｈ復調部３０５で自局のＩＤを暗号鍵に用いて復調を試みるが、暗号鍵が一致せず復調に失敗し、Ｒ−ＣＱＩＣＨのＡＣＫまたはＦＬＡＢ、および、データの送信を行わない。基地局（ＢＴＳ２）は、アンテナ３０１、ＲＦ部３０２を通してＲ−ＣＱＩＣＨ（１００６）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＣＱＩＣＨのＡＣＫ（１００８）を送信する。ハンドオフ処理を実行・完了後に、スケジューラ３０９から制御Ｃｈ変調部３０４、ＲＦ部３０２、アンテナ３０１を通してＦＬＡＢを送信する（１００９）。
無線端末（ＡＴ）は指定した通信先基地局（ＢＴＳ２）からＲ−ＣＱＩＣＨのＡＣＫ（１００８）を受信すると（１１１０）、Ｒ−ＣＱＩＣＨの送信が成功したと判断し、次のＲ−ＣＱＩＣＨ送信周期で（１１０２、１１０３）通信先基地局をＢＴＳ２に指定したＲ−ＣＱＩＣＨ（１１０４）の送信電力を（数７）式に戻し（１０１４、１１０５）、ＲＦ部２０２、アンテナ２０１を通して送信する（１００９、１１０６）。
【００３２】
（上り回線）
図１３は、本発明の第二の実施の形態におけるＲ−ＲＥＱＣＨの電力制御アルゴリズムを説明する図である。
図１４は、本発明の第二の実施の形態におけるＲ−ＲＥＱＩＣＨの電力制御アルゴリズムに対応するＡＴの動作のフローチャートである。
図１５は、本発明の第二の実施の形態におけるＲ−ＲＥＱＣＨの電力制御アルゴリズムに対応する電力変化を説明する図である。
以下、図１３・図１４・図１５を用いて、Ｒ−ＲＥＱＣＨの電力制御アルゴリズムを示す。
上り回線制御において、無線端末（ＡＴ）はアンテナ２０１、ＲＦ部２０２を通して制御Ｃｈ復調部２０５で複数の基地局から上り受信電力の強度情報を受け取りデータ通信が開始され（１４０１）、受信電力が最も大きい基地局（ＢＴＳ１）を上り回線の通信先基地局（ＢＴＳ１）として指定する（１４０２）。この場合、最後に通信した基地局から通信先基地局の変更がないので（１１０３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（１３０１、１４０４）。このときのＲ−ＲＥＱＣＨの送信電力（ＲＥＱＣＨの送信電力）は、制御Ｃｈ変調部２０４で（数９）式のように設定し（１３１１、１４０５）、ＲＦ部２０２、アンテナ２０１を通して送信する（１４０６）。
【００３３】
ＲＥＱＣＨの送信電力＝
ＰｉｌｏｔＣＨの送信電力＋ＲＥＱＣＨ  ＧａｉｎＢａｓｅ            ・・・（数９）
【００３４】
基地局（ＢＴＳ１）は、３０１、ＲＦ部３０２を通してＲ−ＲＥＱＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から３０４、ＲＦ部３０２、３０１を通してＲＬＡＢを送信する（１３０２）。
無線端末（ＡＴ）は、制御Ｃｈ復調部２０５で受け取った情報の結果（１４０２）、上り受信電力の最も大きい基地局がＢＴＳ１からＢＴＳ２に変わると、通信先基地局の指定をＢＴＳ２に変更する（１４０３）。この場合、最後に通信した基地局から通信先基地局の変更があったので（１１０３）、制御Ｃｈ変調部２０４は、周期的に送信しているＲ−ＲＥＱＣＨに対し、指定する通信先基地局のＩＤをＢＴＳ２に変更し変調暗号鍵の一部に付与して送信することで、基地局に通信先を通知（ハンドオフ要求）する（１３０３、１３０４、１４０７）。このときのＲ−ＲＥＱＣＨの送信電力（ＲＥＱＣＨの送信電力）は、制御Ｃｈ変調部２０４で（数１０）式のように一定量増加させ（１３１２、１４０８）、ＲＦ部２０１、アンテナ２０１を通して送信する（１４０９）。
【００３５】
ＲＥＱＣＨの送信電力＝
ＰｉｌｏｔＣＨの送信電力＋ＲＥＱＣＨ  ＧａｉｎＢａｓｅ＋ＲＥＱＣＨ  ＧａｉｎＢｏｏｓｔ                                                          ・・・（数１０）
【００３６】
基地局（ＢＴＳ１）は、３０１、ＲＦ部３０２を通してＲ−ＲＥＱＣＨ（１３０３）を受信し、制御Ｃｈ復調部３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（１３０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、Ｒ−ＲＥＱＣＨのＡＣＫおよびデータの送信を行わない。
次に無線端末（ＡＴ）では、送信したＲ−ＲＥＱＣＨに対して指定した通信先基地局からＲ−ＲＥＱＣＨのＡＣＫの応答がないため（１４１０）、Ｒ−ＲＥＱＣＨの再送を行う（１３０５、１３０６、１４０７、１４０９）。このときのＲ−ＲＥＱＣＨの送信電力は、引き続き（数１０）式のように一定量増加させる（１３１３、１４０８）。
基地局（ＢＴＳ１）は、３０１、ＲＦ部３０２を通してＲ−ＲＥＱＣＨ（１３０５）を受信し、制御Ｃｈ復調部３０５で自局のＩＤを暗号鍵に用いて復調を試みるが、暗号鍵が一致せず復調に失敗し、Ｒ−ＲＥＱＣＨのＡＣＫまたはＲＬＡＢ、および、データの送信を行わない。基地局（ＢＴＳ２）は、３０１、ＲＦ部３０２を通してＲ−ＣＱＩＣＨ（１３０６）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＲＥＱＣＨのＡＣＫ（１３０７）を送信する。ハンドオフ処理を実行・完了後に、スケジューラ３０９から３０４、ＲＦ部３０２、３０１を通してＲＬＡＢを送信する（１３０９）。
無線端末（ＡＴ）は指定した通信先基地局（ＢＴＳ２）からＲ−ＲＥＱＣＨのＡＣＫ（１３０７）を受信すると（１４１０）、制御Ｃｈ変調部２０４は、ハンドオフ要求を含むＲ−ＲＥＱＣＨの送信が成功したと判断し、次のＲ−ＲＥＱＣＨ送信周期で（１４０２、１４０３）、通信先基地局をＢＴＳ２に指定した（１４０４）Ｒ−ＲＥＱＣＨの送信電力を（数９）式に戻し（１３１４、１４０５）、ＲＦ部２０１、アンテナ２０１を通して送信する（１３０９、１４０６）。
【００３７】
（３）第三の実施の形態
無線通信システムを含むネットワーク全体の構成、無線端末（ＡＴ）の構成、および基地局の構成については、第一の実施の形態と同様とする。
図１６は、本発明の第三の実施の形態におけるＲ−ＣＱＩＣＨの電力制御アルゴリズムを説明する図である。
図１７は、本発明の第三の実施の形態におけるＲ−ＣＱＩＣＨの電力制御アルゴリズムに対応するＡＴの動作のフローチャートである。
図１８は、本発明の第三の実施の形態におけるＲ−ＣＱＩＣＨの電力制御アルゴリズムに対応する電力変化を説明する図である。
以下、図１６・図１７・図１８を用いて、Ｒ−ＣＱＩＣＨの電力制御アルゴリズムを示す。
下り回線において、無線端末（ＡＴ）はアンテナ２０１、ＲＦ部２０１を通して複数の基地局からのＣｏｎｔｒｏｌＣｈａｎｎｅｌを受信し、データ通信が開始される（１７０１）。制御Ｃｈ復調部２０５は、受信電力を測定し、受信電力が最も大きい基地局（ＢＴＳ１）を下り回線の通信先基地局（ＢＴＳ１）として指定する（１７０２）。この場合、最後に通信した基地局から通信先基地局の変更がないので（１７０３）、制御Ｃｈ変調部２０４は、周期的に送信しているＲ−ＣＱＩＣＨに対し、指定した通信先基地局のＩＤを変調暗号鍵の一部に付与して送信することで基地局に通信先を通知する（１６０１、１７０４）。このときのＲ−ＣＱＩＣＨの送信電力（ＣＱＩＣＨの送信電力）は、制御Ｃｈ変調部２０４で（数１１）式のように設定し（１６２１、１７０５）、初期設定の送信周期で（１７０６）、ＲＦ部２０１、アンテナ２０１を通して送信する（１７０７）。
【００３８】
ＣＱＩＣＨの送信電力＝
ＰｉｌｏｔＣＨの送信電力＋ＣＱＩＣＨ  ＧａｉｎＢａｓｅ          ・・・（数１１）
【００３９】
基地局（ＢＴＳ１）は、３０１、ＲＦ部３０２を通してＲ−ＣＱＩＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から３０４、ＲＦ部３０２、３０１を通してＦＬＡＢを送信する（１６０２）。
無線端末（ＡＴ）は、制御Ｃｈ復調部２０５で測定した結果（１７０２）、下り受信電力の最も大きい基地局がＢＴＳ１からＢＴＳ２に変わると、通信先基地局の指定をＢＴＳ２に変更する（１７０３）。この場合、最後に通信した基地局から通信先基地局の変更があったので（１７０３）、制御Ｃｈ変調部２０４は、周期的に送信しているＲ−ＣＱＩＣＨに対し、制御Ｃｈ変調部２０４は、指定する通信先基地局のＩＤをＢＴＳ２に変更して変調暗号鍵の一部に付与して送信することで、基地局に通信先を通知（ハンドオフ要求）する（１６０３、１６０４、１７０８）。このときのＲ−ＣＱＩＣＨの送信電力（ＣＱＩＣＨの送信電力）は、制御Ｃｈ変調部２０４で（数１２）式のように一定量増加させる（１６２２、１７０９）。
【００４０】
ＣＱＩＣＨの送信電力＝
ＰｉｌｏｔＣＨの送信電力＋ＣＱＩＣＨ  ＧａｉｎＢａｓｅ＋ＣＱＩＣＨ  ＧａｉｎＢｏｏｓｔ                                                          ・・・（数１２）
【００４１】
また、制御Ｃｈ変調部２０４は、このときのＲ−ＣＱＩＣＨの送信周期を（数１３）式のように短縮して設定する（１７１０）。
【００４２】
ＣＱＩＣＨの送信周期＝前送信周期×ｎ    （ｎは予め定められた定数、０＜ｎ≦１）
・・（数１３）
つぎに、制御Ｃｈ変調部２０４は、ＲＦ部２０１、アンテナ２０１を通して送信する（１７１１）。
基地局（ＢＴＳ１）は、３０１、ＲＦ部３０２を通してＲ−ＣＱＩＣＨ（１６０３）を受信し、制御Ｃｈ復調部３０５で自局のＩＤを暗号鍵に用いて復調を試みるが、暗号鍵が一致せず復調に失敗し、ＦＬＡＢおよびデータの送信を行わない。Ｒ−ＣＱＩＣＨ（１６０４）は、基地局（ＢＴＳ２）でも受信可能であるが、送信電力が足りないと、基地局に信号が届かない、または復調に失敗することがある。その場合には基地局（ＢＴＳ２）ではＲ−ＣＱＩＣＨを受け取れないため、Ｒ−ＣＱＩＣＨのＡＣＫまたはＦＬＡＢ、および、データの送信を行わない。
次に無線端末（ＡＴ）では、送信したＲ−ＣＱＩＣＨに対して指定した通信先基地局からＲ−ＣＱＩＣＨのＡＣＫまたはＦＬＡＢの応答がないため（１７１２）、Ｒ−ＣＱＩＣＨのＡＣＫまたはＦＬＡＢの応答がくるまでＲ−ＣＱＩＣＨの再送を行う（１６０５、１６０６、１６０７、１６０８、１７０８−１７１１）。このときのＲ−ＣＱＩＣＨの送信電力、および送信周期は、引き続き（数１２）式（数１３）式のように一定量増加、および短縮させる（１６２２、１７０９、１７１０）。
基地局（ＢＴＳ１）は、３０１、ＲＦ部３０２を通してＲ−ＣＱＩＣＨ（１６０５、１６０７）を受信し、制御Ｃｈ復調部３０５で自局のＩＤを暗号鍵に用いて復調を試みるが、暗号鍵が一致せず復調に失敗し、ＦＬＡＢおよびデータの送信を行わない。基地局（ＢＴＳ２）は、３０１、ＲＦ部３０２を通してＲ−ＣＱＩＣＨ（１６０６、１６０８）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＣＱＩＣＨのＡＣＫ（１６０９）を送信する。ハンドオフ処理を実行・完了後に、スケジューラ３０９から制御Ｃｈ変調部３０３、ＲＦ部３０２、３０１を通してＦＬＡＢを送信する（１６１０）。
無線端末（ＡＴ）は指定した通信先基地局（ＢＴＳ２）からＲ−ＣＱＩＣＨのＡＣＫ（１６０９）を受信、あるいはＦＬＡＢ（１６１０）を受信すると（１７１２）、制御Ｃｈ変調部２０４は、Ｒ−ＣＱＩＣＨの送信が成功したと判断し、通信先基地局をＢＴＳ２に指定したＲ−ＣＱＩＣＨ（１７０４）の送信電力を（数１１）式に戻し（１６２３、１７０５）、送信周期を初期値に戻して（１７０６）送信する（１６１１、１７０７）。
【００４３】
（上り回線）
図１９は、本発明の第三の実施の形態におけるＲ−ＲＥＱＣＨの電力制御アルゴリズムを説明する図である。
図２０は、本発明の第三の実施の形態におけるＲ−ＲＥＱＣＨの電力制御アルゴリズムに対応するＡＴの動作のフローチャートである。
図２１は、本発明の第三の実施の形態におけるＲ−ＲＥＱＣＨの電力制御アルゴリズムに対応する電力変化を説明する図である。
以下、図１９・図２０・図２１を用いて、Ｒ−ＲＥＱＣＨの電力制御アルゴリズムを示す。
上り回線制御において、無線端末（ＡＴ）はアンテナ２０１、ＲＦ部２０１を通して制御Ｃｈ復調部２０５で複数の基地局から上り受信電力の強度情報を受け取りデータ通信が開始され（２００１）、受信電力が最も大きい基地局（ＢＴＳ１）を上り回線の通信先基地局（ＢＴＳ１）として指定する（２００２）。この場合、最後に通信した基地局から通信先基地局の変更がないので（２００３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（１９０１、２００４）。このときのＲ−ＲＥＱＣＨの送信電力（ＲＥＱＣＨの送信電力）は、制御Ｃｈ変調部２０４で（数１４）式のように設定し（１９２１、２００５）、初期設定の送信周期で（２００６）、ＲＦ部２０１、アンテナ２０１を通して送信する（２００７）。
【００４４】
ＲＥＱＣＨの送信電力＝
ＰｉｌｏｔＣＨの送信電力＋ＲＥＱＣＨ  ＧａｉｎＢａｓｅ          ・・・（数１４）
【００４５】
基地局（ＢＴＳ１）は、３０１、ＲＦ部３０２を通してＲ−ＲＥＱＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０３、ＲＦ部３０２、３０１を通してＲＬＡＢを送信する（１９０２）。
無線端末（ＡＴ）は、制御Ｃｈ復調部２０５で受け取った情報の結果（２００２）、上り受信電力の最も大きい基地局がＢＴＳ１からＢＴＳ２に変わると、通信先基地局の指定をＢＴＳ２に変更する（２００３）。この場合、最後に通信した基地局から通信先基地局の変更があったので（２００３）、制御Ｃｈ変調部２０４は、周期的に送信しているＲ−ＲＥＱＣＨに対し、指定する通信先基地局のＩＤをＢＴＳ２に変更し、変調暗号鍵の一部に付与して送信することで基地局に通信先を通知（ハンドオフ要求）する（１９０３、１９０４、２００８）。このときのＲ−ＲＥＱＣＨの送信電力（ＲＥＱＣＨの送信電力）は、制御Ｃｈ変調部２０４で（数１５）式のように一定量増加させる（１３１２、２００９）。
【００４６】
ＲＥＱＣＨの送信電力＝
ＰｉｌｏｔＣＨの送信電力＋ＲＥＱＣＨ  ＧａｉｎＢａｓｅ＋ＲＥＱＣＨ  ＧａｉｎＢｏｏｓｔ                                                          ・・・（数１５）
【００４７】
また、制御Ｃｈ変調部２０４は、ＲＦ部２０１、アンテナ２０１を通して送信する（２０１１）。
このときのＲ−ＣＱＩＣＨの送信周期を（数１６）式のように短縮して設定する（２０１０）。
【００４８】
ＲＥＱＣＨの送信周期＝前送信周期×ｎ    （ｎは予め定められた定数、０＜ｎ≦１）
・・（数１６）
【００４９】
つぎに、制御Ｃｈ変調部２０４は、ＲＦ部２０１、アンテナ２０１を通して送信する（２０１１）。
基地局（ＢＴＳ１）は、３０１、ＲＦ部３０２を通してＲ−ＲＥＱＣＨ（１９０３）を受信し、制御Ｃｈ復調部３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（１９０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、Ｒ−ＲＥＱＣＨのＡＣＫまたはＲＬＡＢ、および、データの送信を行わない。
次に無線端末（ＡＴ）では、送信したＲ−ＲＥＱＣＨに対して指定した通信先基地局からＲ−ＲＥＱＣＨのＡＣＫまたはＲＬＡＢの応答がないため（２０１２）、Ｒ−ＲＥＱＣＨのＡＣＫまたはＲＬＡＢの応答がくるまで、Ｒ−ＲＥＱＣＨの再送を行う（１９０５、１９０６、１９０７、１９０８、２００８−２０１１）。このときのＲ−ＲＥＱＣＨの送信電力、および送信周期は、それぞれ、引き続き（数１５）式、（数１６）式のように一定量増加、および短縮させる（１９２２、２００９、２０１０）。
基地局（ＢＴＳ１）は、３０１、ＲＦ部３０２を通してＲ−ＲＥＱＣＨ（１９０５、１９０７）を受信し、制御Ｃｈ復調部３０５で自局のＩＤを暗号鍵に用いて復調を試みるが、暗号鍵が一致せず復調に失敗し、ＲＬＡＢおよびデータの送信を行わない。基地局（ＢＴＳ２）は、３０１、ＲＦ部３０２を通してＲ−ＣＱＩＣＨ（１３０６、１９０８）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＲＥＱＣＨのＡＣＫ（１９０９）を送信する。ハンドオフ処理を実行・完了後に、スケジューラ３０９から制御Ｃｈ変調部３０３、ＲＦ部３０２、３０１を通してＲＬＡＢを送信する（１９１０）。
無線端末（ＡＴ）は指定した通信先基地局（ＢＴＳ２）からＲ−ＲＥＱＣＨのＡＣＫ（１９０９）を受信、あるいはＲＬＡＢ（１９１０）を受信すると（２０１２）、制御Ｃｈ変調部２０４は、ハンドオフ要求を含むＲ−ＲＥＱＣＨの送信が成功したと判断し、通信先基地局をＢＴＳ２に指定したＲ−ＲＥＱＣＨの送信電力を（数１４）式に戻し（１９２３、２００５）、送信周期を初期値に戻し（２００６）、アンテナ２０１、ＲＦ部２０１を通して送信する（１９１１、２００７）。
なお、この例の他、前回の送信周期より今回の通信周期を、予め定められた値だけ適宜短縮してもよい。又は、例えば、次式のように、送信周期を送信回数に応じて短縮してもよい。
【００５０】
ＣＱＩＣＨの送信周期＝初期値／送信回数
【００５１】
（４）第四の実施の形態
無線通信システムを含むネットワーク全体の構成、無線端末（ＡＴ）の構成、および基地局の構成については、第一の実施の形態と同様とする。
図２２は、本発明の第四の実施の形態におけるＲ−ＣＱＩＣＨの電力制御アルゴリズムを説明する図である。
図２３は、本発明の第四の実施の形態におけるＲ−ＣＱＩＣＨの電力制御アルゴリズムに対応するＡＴの動作のフローチャートである。
図２４は、本発明の第四の実施の形態におけるＲ−ＣＱＩＣＨの電力制御アルゴリズムに対応する電力変化を説明する図である。
以下、図２２・図２３・図２４を用いて、Ｒ−ＣＱＩＣＨの電力制御アルゴリズムを示す。
下り回線において、無線端末（ＡＴ）はアンテナ２０１、ＲＦ部２０１を通して複数の基地局からのＣｏｎｔｒｏｌＣｈａｎｎｅｌを受信し、データ通信が開始される（２３０１）。制御Ｃｈ復調部２０５は、受信電力を測定し、受信電力が最も大きい基地局（ＢＴＳ１）を下り回線の通信先基地局（ＢＴＳ１）として指定する（２３０２）。この場合、最後に通信した基地局から通信先基地局の変更がないので（２３０３）、制御Ｃｈ変調部２０４は、周期的に送信しているＲ−ＣＱＩＣＨに対し、指定した通信先基地局のＩＤを変調暗号鍵の一部に付与して送信することで基地局に通信先を通知する（２２０１、２３０４）。このときのＲ−ＣＱＩＣＨの送信電力（ＣＱＩＣＨの送信電力）は、制御Ｃｈ変調部２０４で（数１７）式のように設定し（２２２１、２３０５）、ＲＦ部２０１、アンテナ２０１を通して送信する（２３０６）。
【００５２】
ＣＱＩＣＨの送信電力＝
ＰｉｌｏｔＣＨの送信電力＋ＣＱＩＣＨ  ＧａｉｎＢａｓｅ          ・・・（数１７）
【００５３】
基地局（ＢＴＳ１）は、３０１、ＲＦ部３０２を通してＲ−ＣＱＩＣＨを受信し、３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０３、ＲＦ部３０２、３０１を通してＦＬＡＢを送信する（２２０２）。
無線端末（ＡＴ）は、制御Ｃｈ復調部２０５で測定した結果（２３０２）、下り受信電力の最も大きい基地局がＢＴＳ１からＢＴＳ２に変わると、通信先基地局の指定をＢＴＳ２に変更する（２３０３）。この場合、最後に通信した基地局から通信先基地局の変更があったので（２３０３）、周期的に送信しているＲ−ＣＱＩＣＨに対し、制御Ｃｈ変調部２０４は、指定する通信先基地局のＩＤをＢＴＳ２に変更して変調暗号鍵の一部に付与して送信することで、基地局に通信先を通知（ハンドオフ要求）する（２２０３、２２０４、２３０７）。このときのＲ−ＣＱＩＣＨの送信電力（ＣＱＩＣＨの送信電力）は、制御Ｃｈ変調部２０４で、例えば、（数１８）式のように、ハンドオフ要求からの送信回数、または時間の経過に応じて増加させ（２２２２、２３０８、２３０９）、ＲＦ部２０１、データチャネル（Ｃｈ）変調部２０３を通して送信する（２３１０）
【００５４】
ＣＱＩＣＨの送信電力＝ＰｉｌｏｔＣＨの送信電力＋ＣＱＩＣＨＧａｉｎＢａｓｅ
＋ＣＱＩＣＨ  ＧａｉｎＢｏｏｓｔ＋（ＢｏｏｓｔＳｔｅｐ×ｍ）（ｍは送信回数、ｍ＝０、１、２・・・、又は、ｍは送信時間に比例する値）
・・・（数１８）
【００５５】
基地局（ＢＴＳ１）は、３０１、ＲＦ部３０２を通してＲ−ＣＱＩＣＨ（２２０３）を受信し、３０５で自局のＩＤを暗号鍵に用いて復調を試みるが、暗号鍵が一致せず復調に失敗し、ＦＬＡＢおよびデータの送信を行わない。Ｒ−ＣＱＩＣＨ（２２０４）は、基地局（ＢＴＳ２）でも受信可能であるが、送信電力が足りないと、基地局に信号が届かない、または復調に失敗することがある。その場合には基地局（ＢＴＳ２）ではＲ−ＣＱＩＣＨを受け取れないため、Ｒ−ＣＱＩＣＨのＡＣＫまたはＦＬＡＢ、および、データの送信を行わない。
次に無線端末（ＡＴ）では、送信したＲ−ＣＱＩＣＨに対して指定した通信先基地局からＲ−ＣＱＩＣＨのＡＣＫまたはＦＬＡＢの応答がないため（２３１１）、Ｒ−ＣＱＩＣＨのＡＣＫまたはＦＬＡＢの応答がくるまでＲ−ＣＱＩＣＨの再送を行う（２２０５、２２０６、２２０７、２２０８、２３０７−２３１０）。このときのＲ−ＣＱＩＣＨの送信電力は、引き続き（数１８）式のようにハンドオフ要求からの送信回数、または時間の経過に応じて増加させる  （２２２３、２２２４、２３０８、２３０９）。
基地局（ＢＴＳ１）は、３０１、ＲＦ部３０２を通してＲ−ＣＱＩＣＨ（２２０５、２２０７）を受信し、３０５で自局のＩＤを暗号鍵に用いて復調を試みるが、暗号鍵が一致せず復調に失敗し、ＦＬＡＢおよびデータの送信を行わない。基地局（ＢＴＳ２）は、３０１、ＲＦ部３０２を通してＲ−ＣＱＩＣＨ（２２０６、２２０８）を受信し、３０５で自局のＩＤを暗号鍵に用いて復調に成功することで、通信先基地局として指定されたことを認識する。そしてその無線端末（ＡＴ）との通信が可能であれば、Ｒ−ＣＱＩＣＨのＡＣＫ（２２０９）を送信する。ハンドオフ処理を実行・完了後に、スケジューラ３０９から制御Ｃｈ変調部３０３、ＲＦ部３０２、３０１を通してＦＬＡＢを送信する（２２１０）。
無線端末（ＡＴ）は指定した通信先基地局（ＢＴＳ２）からＲ−ＣＱＩＣＨのＡＣＫ（２２０９）を受信、あるいはＦＬＡＢ（２２１０）を受信すると（２３１１）、制御Ｃｈ変調部２０４は、Ｒ−ＣＱＩＣＨの送信が成功したと判断し、次のＲ−ＣＱＩＣＨ送信周期で（２３０２、２３０３）、通信先基地局をＢＴＳ２に指定したＲ−ＣＱＩＣＨ（２３０４）の送信電力を（数１７）式に戻し（２２２５、２３０５）、アンテナ２０１、ＲＦ部２０１を通して送信する（２２１１、２３０６）。また、次のハンドオフのために、送信回数、または時間経過に対応する変数を初期値に戻す（２３１２）。
【００５６】
（上り回線）
図２５は、本発明の第四の実施の形態におけるＲ−ＲＥＱＣＨの電力制御アルゴリズムを説明する図である。
図２６は、本発明の第四の実施の形態におけるＲ−ＲＥＱＣＨの電力制御アルゴリズムに対応するＡＴの動作のフローチャートである。
図２７は、本発明の第四の実施の形態におけるＲ−ＲＥＱＣＨの電力制御アルゴリズムに対応する電力変化を説明する図である。
以下、図２５・図２６・図２７に、Ｒ−ＲＥＱＣＨの電力制御アルゴリズムを示す。
上り回線制御において、無線端末（ＡＴ）はアンテナ２０１、ＲＦ部２０１を通して複数の基地局から上り受信電力の強度情報を受け取りデータ通信が開始され（２６０１）、受信電力が最も大きい基地局（ＢＴＳ１）を上り回線の通信先基地局（ＢＴＳ１）として指定する（２６０２）。この場合、最後に通信した基地局から通信先基地局の変更がないので（２６０３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（２５０１、２６０４）。このときのＲ−ＲＥＱＣＨの送信電力（ＲＥＱＣＨの送信電力）は、制御Ｃｈ変調部２０４で（数１９）式のように設定し（２５２１、２６０５）、ＲＦ部２０１、アンテナ２０１を通して送信する（２６０６）。
【００５７】
ＲＥＱＣＨの送信電力＝
ＰｉｌｏｔＣＨの送信電力＋ＲＥＱＣＨ  ＧａｉｎＢａｓｅ          ・・・（数１９）
【００５８】
基地局（ＢＴＳ１）は、３０１、ＲＦ部３０２を通してＲ−ＲＥＱＣＨを受信し、３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０３、ＲＦ部３０２、３０１を通してＲＬＡＢを送信する（２５０２）。
無線端末（ＡＴ）は、制御Ｃｈ復調部２０５で受け取った情報の結果（２６０２）、上り受信電力の最も大きい基地局がＢＴＳ１からＢＴＳ２に変わると、通信先基地局の指定をＢＴＳ２に変更する（２６０３）。この場合、最後に通信した基地局から通信先基地局の変更があったので（２６０３）、制御Ｃｈ変調部２０４は、周期的に送信しているＲ−ＲＥＱＣＨに対し、指定する通信先基地局のＩＤをＢＴＳ２に変更し変調暗号鍵の一部に付与して送信することで基地局に通信先を通知（ハンドオフ要求）する（２５０３、２５０４、２６０７）。このときのＲ−ＲＥＱＣＨの送信電力（ＲＥＱＣＨの送信電力）は、制御Ｃｈ変調部２０４で、例えば、（数２０）式のように、ハンドオフ要求からの送信回数、または時間の経過に応じて増加させ（２５２２、２６０８、２６０９）、ＲＦ部２０１、アンテナ２０１を通して送信する（２６１０）。
【００５９】
ＲＥＱＣＨの送信電力＝ＰｉｌｏｔＣＨの送信電力＋ＲＥＱＣＨ  ＧａｉｎＢａｓｅ
＋ＲＥＱＣＨ  ＧａｉｎＢｏｏｓｔ＋（ＢｏｏｓｔＳｔｅｐ×ｍ）（ｍは送信回数、ｍ＝０、１、２・・・又は、ｍは送信時間に比例する値）
・・・（数２０）
【００６０】
基地局（ＢＴＳ１）は、３０１、ＲＦ部３０２を通してＲ−ＲＥＱＣＨ（２５０３）を受信し、３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（２５０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、Ｒ−ＲＥＱＣＨのＡＣＫ、ＲＬＡＢおよびデータの送信を行わない。
次に無線端末（ＡＴ）では、送信したＲ−ＲＥＱＣＨに対して指定した通信先基地局からＲ−ＲＥＱＣＨのＡＣＫまたはＲＬＡＢの応答がないため（２６１１）、Ｒ−ＲＥＱＣＨのＡＣＫまたはＲＬＡＢの応答がくるまで、Ｒ−ＲＥＱＣＨの再送を行う（２５０５、２５０６、２５０７、２５０８、２６０７、２６１０）。このときのＲ−ＲＥＱＣＨの送信電力は、引き続き（数２０）式のようにハンドオフ要求からの送信回数、または時間の経過に応じて増加させる（２５２３、２５２４、２６０８、２６０９）。
基地局（ＢＴＳ１）は、３０１、ＲＦ部３０２を通してＲ−ＲＥＱＣＨ（２５０５、２５０７）を受信し、３０５で自局のＩＤを暗号鍵に用いて復調を試みるが、暗号鍵が一致せず復調に失敗し、ＲＬＡＢおよびデータの送信を行わない。基地局（ＢＴＳ２）は、３０１、ＲＦ部３０２を通してＲ−ＣＱＩＣＨ（２５０６、２５０８）を受信し、３０５で自局のＩＤを暗号鍵に用いて復調に成功することで、通信先基地局として指定されたことを認識する。そしてその無線端末（ＡＴ）との通信が可能であれば、Ｒ−ＲＥＱＣＨのＡＣＫ（２５０９）を送信する。ハンドオフ処理を実行・完了後に、スケジューラ３０９から制御Ｃｈ変調部３０３、ＲＦ部３０２、３０１を通してＲＬＡＢを送信する（２５１０）。
無線端末（ＡＴ）は指定した通信先基地局（ＢＴＳ２）からＲ−ＲＥＱＣＨのＡＣＫ（２５０９）を受信、あるいはＲＬＡＢ（２５１０）を受信すると（２６１１）、制御Ｃｈ変調部２０４は、ハンドオフ要求を含むＲ−ＲＥＱＣＨの送信が成功したと判断し、次のＲ−ＲＥＱＣＨ送信周期で（２６０２、２６０３）通信先基地局をＢＴＳ２に指定したＲ−ＲＥＱＣＨ（２６０４）の送信電力を（数１９）式に戻し（２５２５、２６０５）、アンテナ２０１、ＲＦ部２０１を通して送信する（２５１１、２６０６）。また、次のハンドオフのために、送信回数、または時間経過に対応する変数を初期値に戻す（２６１２）。
【００６１】
（５）第５の実施の形態
第５の実施の形態として、第３の実施の形態と第４の実施の形態を組合せて、送信回数に応じて、送信電力及び送信周期の両方を変更するようにしてもよい。
【産業上の利用可能性】
【００６２】
本発明は、ＣＤＭＡやＯＦＤＭシステムの他にも、様々な方式や形態の無線通信システムに適用することができる。また、上述の実施の形態では、Ｒ−ＣＱＩＣＨ及びＲ−ＲＥＱＣＨ、ＦＬＡＢ及びＲＬＡＢを用いる場合について説明したが、本発明は、これに限らず、各方式における適宜の特定チャネル、フォワードリンク及びリバースリンクの各ブロックを用いることができる。
【図面の簡単な説明】
【００６３】
【図１】本発明を適用する無線通信システムと、インターネットを含む通信網全体の構成を説明する図である。
【図２】本発明の一実施の形態における無線端末（ＡＴ）の構成を説明する図である。
【図３】本発明の一実施の形態における基地局の構成を説明する図である。
【図４】本発明の第一の実施の形態におけるＲ−ＣＱＩＣＨの電力制御アルゴリズムを説明する図である。
【図５】本発明の第一の実施の形態におけるＲ−ＣＱＩＣＨの電力制御アルゴリズムに対応するＡＴの動作のフローチャートである。
【図６】本発明の第一の実施の形態におけるＲ−ＣＱＩＣＨの電力制御アルゴリズムに対応する電力変化を説明する図である。
【図７】本発明の第一の実施の形態におけるＲ−ＲＥＱＣＨの電力制御アルゴリズムを説明する図である。
【図８】本発明の第一の実施の形態におけるＲ−ＲＥＱＣＨの電力制御アルゴリズムに対応するＡＴの動作のフローチャートである。
【図９】本発明の第一の実施の形態におけるＲ−ＲＥＱＣＨの電力制御アルゴリズムに対応する電力変化を説明する図である。
【図１０】本発明の第二の実施の形態におけるＲ−ＣＱＩＣＨの電力制御アルゴリズムを説明する図である。
【図１１】本発明の第二の実施の形態におけるＲ−ＣＱＩＣＨの電力制御アルゴリズムに対応するＡＴの動作のフローチャートである。
【図１２】本発明の第二の実施の形態におけるＲ−ＣＱＩＣＨの電力制御アルゴリズムに対応する電力変化を説明する図である。
【図１３】本発明の第二の実施の形態におけるＲ−ＲＥＱＣＨの電力制御アルゴリズムを説明する図である。
【図１４】本発明の第二の実施の形態におけるＲ−ＲＥＱＩＣＨの電力制御アルゴリズムに対応するＡＴの動作のフローチャートである。
【図１５】本発明の第二の実施の形態におけるＲ−ＲＥＱＣＨの電力制御アルゴリズムに対応する電力変化を説明する図である。
【図１６】本発明の第三の実施の形態におけるＲ−ＣＱＩＣＨの電力制御アルゴリズムを説明する図である。
【図１７】本発明の第三の実施の形態におけるＲ−ＣＱＩＣＨの電力制御アルゴリズムに対応するＡＴの動作のフローチャートである。
【図１８】本発明の第三の実施の形態におけるＲ−ＣＱＩＣＨの電力制御アルゴリズムに対応する電力変化を説明する図である。
【図１９】本発明の第三の実施の形態におけるＲ−ＲＥＱＣＨの電力制御アルゴリズムを説明する図である。
【図２０】本発明の第三の実施の形態におけるＲ−ＲＥＱＣＨの電力制御アルゴリズムに対応するＡＴの動作のフローチャートである。
【図２１】本発明の第三の実施の形態におけるＲ−ＲＥＱＣＨの電力制御アルゴリズムに対応する電力変化を説明する図である。
【図２２】本発明の第四の実施の形態におけるＲ−ＣＱＩＣＨの電力制御アルゴリズムを説明する図である。
【図２３】本発明の第四の実施の形態におけるＲ−ＣＱＩＣＨの電力制御アルゴリズムに対応するＡＴの動作のフローチャートである。
【図２４】本発明の第四の実施の形態におけるＲ−ＣＱＩＣＨの電力制御アルゴリズムに対応する電力変化を説明する図である。
【図２５】本発明の第四の実施の形態におけるＲ−ＲＥＱＣＨの電力制御アルゴリズムを説明する図である。
【図２６】本発明の第四の実施の形態におけるＲ−ＲＥＱＣＨの電力制御アルゴリズムに対応するＡＴの動作のフローチャートである。
【図２７】本発明の第四の実施の形態におけるＲ−ＲＥＱＣＨの電力制御アルゴリズムに対応する電力変化を説明する図である。
【符号の説明】
【００６４】
１０１、１０２、１０３    無線端末（ＡＴ）
１１１、１１２    一つの基地局によってカバーされるエリア
１２１、１２２    基地局
１３１、１３２    基地局制御装置
１４１    インターネット網
１５１    インターネット・サービス・プロバイダ
１６１    サーバ
２０１        アンテナ
２０２      ＲＦ部
２０３        データＣｈ変調部
２０４        制御Ｃｈ変調部
２０５        制御Ｃｈ復調部
２０６        データＣｈ復調部
２０７        データバッファ
２０８        アプリケーション処理部
３０１        アンテナ
３０２      ＲＦ部
３０３        データＣｈ変調部
３０４        制御Ｃｈ変調部
３０５        制御Ｃｈ復調部
３０６        データＣｈ復調部
３０７        データバッファ
３０８        回線処理部
３０９        スケジューラ
３１０        ＰＥＲ計測部
４０１、４０３、４０４、４０５、４０６、４０８        Ｒ−ＣＱＩＣＨ
４０２、４０７                                        ＦＬＡＢ
４１１、４１２、４１３、４１４                        端末の送信電力
７０１、７０３、７０４、７０５、７０６、７０８        Ｒ−ＲＥＱＣＨ
７０２、７０７                                        ＲＬＡＢ
７１１、７１２、  ７１３、７１４                      端末の送信電力
１００１、１００３、１００４、１００５、１００６、１００８        Ｒ−ＣＱＩＣＨ
１００２、１００９                                    ＦＬＡＢ
１００７                                              Ｒ−ＣＱＩＣＨのＡＣＫ
１０１１、１０１２、  １０１３、１０１４              端末の送信電力
１３０１、１３０３、１３０４、１３０５、１３０６、１３０８        Ｒ−ＲＥＱＣＨ
１３０２、１３０９                                    ＲＬＡＢ
１３０７                                              Ｒ−ＲＥＱＣＨのＡＣＫ
１３１１、１３１２、  １３１３、１３１４              端末の送信電力
１６０１、１６０３、１６０４、１６０５、１６０６、１６０７、１６０８、１６１１
Ｒ−ＣＱＩＣＨ
１６０２、１６１０                                    ＦＬＡＢ
１６０９                                              Ｒ−ＣＱＩＣＨのＡＣＫ
１６２１、１６２２、１６２３                          端末の送信電力
１９０１、１９０３、１９０４、１９０５、１９０６、１９０７、１９０８、１９１１
Ｒ−ＲＥＱＣＨ
１９０２、１９１０                                    ＲＬＡＢ
１９０９                                              Ｒ−ＲＥＱＣＨのＡＣＫ
１９２１、１９２２、１９２３                          端末の送信電力
２２０１、２２０３、２２０４、２２０５、２２０６、２２０７、２２０８、２２１１
Ｒ−ＣＱＩＣＨ
２２０２、２２１０                                    ＦＬＡＢ
２２０９                                              Ｒ−ＣＱＩＣＨのＡＣＫ
２２２１、２２２２、２２２３、２２２４、２２２５      端末の送信電力
２５０１、２５０３、２５０４、２５０５、２５０６、２５０７、２５０８、２５１１
Ｒ−ＲＥＱＣＨ
２５０２、２５１０                                    ＲＬＡＢ
２５０９                                              Ｒ−ＲＥＱＣＨのＡＣＫ
２５２１、２５２２、２５２３、２５２４、２５２５      端末の送信電力
【図１】
2009094612.tif 000003
【図２】
2009094612.tif 000004
【図３】
2009094612.tif 000005
【図４】
2009094612.tif 000006
【図５】
2009094612.tif 000007
【図６】
2009094612.tif 000008
【図７】
2009094612.tif 000009
【図８】
2009094612.tif 000010
【図９】
2009094612.tif 000011
【図１０】
2009094612.tif 000012
【図１１】
2009094612.tif 000013
【図１２】
2009094612.tif 000014
【図１３】
2009094612.tif 000015
【図１４】
2009094612.tif 000016
【図１５】
2009094612.tif 000017
【図１６】
2009094612.tif 000018
【図１７】
2009094612.tif 000019
【図１８】
2009094612.tif 000020
【図１９】
2009094612.tif 000021
【図２０】
2009094612.tif 000022
【図２１】
2009094612.tif 000023
【図２２】
2009094612.tif 000024
【図２３】
2009094612.tif 000025
【図２４】
2009094612.tif 000026
【図２５】
2009094612.tif 000027
【図２６】
2009094612.tif 000028
【図２７】
2009094612.tif 000029